(57)【特許請求の範囲】
【請求項１】
浴槽と、前記浴槽に側方から対面する側壁と、前記浴槽と前記側壁の間に設けられるサイドスペースとを有する浴室の前記サイドスペースに設置される浴室用天板付台であって、
前記浴槽の前後の框の内縁間の最短距離より長い天板と、
前記天板を着脱自在に支持する支持部とを備え、
前記天板は、裏面から下方へ突出する位置決め手段を有し、
前記支持部から脱着して前記位置決め手段を前記浴槽の前後の内面に当接させるようにして前記浴槽の框に載置可能に構成され、
前記位置決め手段は、当該天板の平面視における４隅にそれぞれ１個ずつ計４個設けられ、前記天板を前記浴槽と前記支持部に跨るように載置した際に、そのうち２個は、前記浴槽の側壁に係止され、他の２個は、前記支持部の横材に係止されるよう構成されていることを特徴とする浴室用天板付台。
【発明の詳細な説明】
【技術分野】
【０００１】
この発明は、天板が浴槽の前後の框に架け渡せる長さを備えた浴室用天板付台に関し、特に、この天板が着脱自在に構成された浴室用天板付台に関する。
【背景技術】
【０００２】
従来、介護用のユニットバス等では、浴槽と浴室の側壁に囲まれたサイドスペースに設置する天板付台の天板を種々の目的で着脱自在とすることが提案されている。
例えば、特許文献１では、蓋（天板）の下を収納スペースとするために当該蓋を取外し可能とした移乗台（天板付台）が提案されている。
【０００３】
一方、浴槽の前後の框に架け渡すようにして浴槽に載置するバスボードといわれる板状の移乗台（以下単に「バスボード」ともいう。）が提案されている。
例えば、特許文献２では、浴槽に架け渡す板状の台部の両端に設けた把手のうち一方を倒立可能に構成したバスボードが提案されている。
そして、特許文献１のような天板付台と特許文献２のようないわゆるバスボードをともに販売するような場合、利用者が、本来天板を浴槽に架け渡して使用するものではない天板付台の天板を浴槽に架け渡すバスボードとして使用できると誤認する可能性が有る。
【先行技術文献】
【特許文献】
【０００４】
【特許文献１】特開２０００−２１７７３３号公報
【特許文献２】特開２００２−３３１０１６号公報
【発明の概要】
【発明が解決しようとする課題】
【０００５】
しかし、特許文献１のような移乗台の天板は、浴槽に載置して使用することを想定していないため、浴槽上に載置すると、滑って端が浴槽の框から落下したり、両端だけでは人の体重を支えきれずに破損したりして、事故が発生する恐れがある。
本発明は、上記課題に鑑みてなされたものであり、着脱可能な天板を備えながらも天板を浴槽に載置して使用することによる事故の発生を抑制可能な浴槽用天板付台の提供を目的とする。
【課題を解決するための手段】
【０００６】
上記課題を解決するためになされた発明は、浴槽と、前記浴槽に側方から対面する側壁と、前記浴槽と前記側壁の間に設けられるサイドスペースとを有する浴室の前記サイドスペースに設置される浴室用天板付台であって、前記浴槽の前後の框の内縁間の最短距離より長い天板と、前記天板を着脱自在に支持する支持部とを備え、前記天板は、裏面から下方へ突出する位置決め手段を有し、前記支持部から脱着して前記位置決め手段を前記浴槽の前後の内面に当接させるようにして前記浴槽の框に載置可能に構成され、前記位置決め手段は、当該天板の平面視における４隅にそれぞれ１個ずつ計４個設けられ、前記天板を前記浴槽と前記支持部に跨るように載置した際に、そのうち２個は、前記浴槽の側壁に係止され、他の２個は、前記支持部の横材に係止されるよう構成されていることを特徴とする。
【０００７】
本発明に係る浴室用天板付台（以下単に「天板付台」ともいう。）では、このように、天板の裏面から突出する位置決め手段を浴槽の前後の内面に当接させるようにして天板を浴槽に載置できるので、天板が框から滑り落ちることを抑制できる。
【発明の効果】
【００１１】
以上説明したように、本発明の浴室用天板付台によれば、脱着した天板をバスボードとして利用しようとすることによる事故を抑制できる。
【図面の簡単な説明】
【００１２】
【図１】本発明の第１実施形態に係る浴室用天板付台の斜視図である。
【図２】図１の天板付台の天板を外した様子を示す斜視図である。
【図３】図１の天板付台の天板を取り外して浴槽の一端に載置した様子を示す斜視図である。
【図４】図１の天板付台を幅方向の中央で切断した側面視断面図である。
【図５】図１の天板付台から取り外した天板を浴槽に載置した状態を示す側面視断面図である。
【図６】図４のＣ−Ｃ部を示した拡大断面図である。
【図７】本発明の参考例に係る浴室用天板付台の斜視図である。
【図８】図７の天板付台の天板を外した様子を示す斜視図である。
【図９】図７の天板付台を幅方向の中央で切断した側面視断面図である。
【図１０】図７における天板付台から取り外した天板を浴槽に載置した様子を示す正面図である。
【図１１】図７における天板付台から取り外した天板を浴槽に載置した様子を示す側面視断面図である。
【発明を実施するための形態】
【００１３】
以下、適宜図面を用いながら本発明の実施形態について詳述する。ただし、本発明は、以下の実施形態に限定されるものではない。
【００１４】
（第１実施形態）
図１は、本発明の第１実施形態に係る浴室用天板付台１００を示している。天板付台１００は、矩形の天板１と天板１を支持する支持部２とを主に備え、図３に示したような浴室Ａに設置される。
【００１５】
浴室Ａは、後壁Ａ４に接して設けられる浴槽Ａ１と、浴槽Ａ１の手前側に隣接する洗い場Ａ２と、浴槽Ａ１及び洗い場Ａ２に右側方から対面する側壁Ａ３と、浴槽Ａ１と側壁Ａ３の間に設けられるサイドスペースＡ５とを有している。サイドスペースＡ５は、平面視で矩形をなし、洗い場Ａ２から床面が連続している。天板付台１００は、天板１の上面又は下面を浴槽Ａ１の框上面に一致させるようにして、サイドスペースＡ５の床面に載置される。
【００１６】
浴槽Ａ１は、図３に示すように、框の内周が角丸の長方形に設けられ、前後の框Ａ１１，Ａ１２が互いに平行に設けられている。
ただし、本実施形態に係る浴槽Ａ１は、前後の框Ａ１１，Ａ１２の内縁が互いに平行なものに限らず、前後の框の一方又は両方の内縁が曲線であるものも含む。
【００１７】
天板１は、樹脂により矩形の板状に一体成型され、長手方向の両端のみを支持した状態で中央に乗った人を十分に支えることができる強度を有している。
また、天板１は、支持部２に対し着脱自在とするために、図４に示すように、外縁全周に渡って着脱用係止部１２が設けられ、裏面からは、下方へ突出する底面視矩形の嵌合用突起１３が設けられている。
【００１８】
また、天板１の裏面の４隅には、下方に向かって突出する角錐台状の突起からなる位置決め手段５が設けられている。位置決め手段５は、図５に示すように、天板１の長手方向の外側における側面５ａが、浴槽Ａ１の前後の内壁と略等しい傾斜に設けられている。
【００１９】
支持部２は、図２に示すように、４本の支持脚３と、天板１を載置する支持棚４とを備えている。
支持棚４は、金属又は樹脂製の角筒又は角棒により、矩形の外枠４０を有する格子状に形成され、外枠４０の長辺を構成する一対の縦材４１と、縦材４１に直行する複数の横材４２と、縦材４１及び横材４２に囲まれた矩形の透孔４３とを有している。天板１は、図４に示すように、周縁の係止部１２を外枠４０の縦材４１や横材４２の裏面に係止し、また天板１裏面の嵌合用突起１３を支持棚４の透孔４３に嵌合して支持棚４に固定される。
【００２０】
支持脚３は、金属製、又は樹脂製の棒材又は管材により支持棚４の４隅から下方へ延出するよう設けられ、下端部に抜け落ち不能に螺設された高さ調節部材３１を備えている。
【００２１】
次に、第１実施形態に係る浴室用天板付台１００の使用方法、及び各部の作用について説明する。
天板１を支持部２に取り付けたままの状態で、天板付台１００を移乗台として用いる場合には、天板１の長辺の１つを浴槽Ａ１に接するようにして、天板付台１００をサイドスペースＡ５の床面に載置し、高さ調節部材３１を調節して天板１の上面を浴槽Ａ１の框Ａ１１，Ａ１２上面の高さに合わせておく。
【００２２】
そして、利用者が浴槽Ａ１へ入る際には、洗い場Ａ２から後ろ向きに天板付台１００に腰をおろしたのち、浴槽Ａ１のほうへ体の向きを変えて浴槽Ａ１へ体を入れる。
その後、浴槽Ａ１から出る場合は、浴槽Ａ１側方の框越しに後ろ向きに天板付台１００に腰を下ろし、洗い場Ａ２側に体の向きを変えて床面に足をおろして立ち上がる。
【００２３】
また、天板１をバスボードとして使用する場合は、まず、天板１の端部に指をかけて、天板１を上方へ引っ張って支持棚４から取り外し、図３に示すように、天板１を浴槽Ａ１の前後の框Ａ１１，Ａ１２に載置する。
図３では、天板１の全体を浴槽Ａ１上に載置する例を示したが、浴槽Ａ１と支持棚３に跨るように天板１を載置してもよい。この場合、４個の位置決め手段１３のうち２個が浴槽の側壁に係止され、他の２個は、支持棚３の横材４２に係止される。
【００２４】
そして、浴槽に載置した天板１を用いて浴槽へ入る場合は、洗い場側Ａ２から後ろ向きに浴槽Ａ１に載置した天板１に腰をおろしたのち、浴槽Ａ１の方へ体の向きを変えて浴槽Ａ１へ体を入れる。浴槽へ入ると、天板１は、支持部２へ戻すことができるため、利用者は、サイドスペース側を背にして浴槽Ａ１に浸かる場合でも、天板１が邪魔にならない。
【００２５】
次に、浴槽Ａ１から出る場合は、浴槽Ａ１から立ち上がり、天板１に背を向けて天板１に腰を下ろしたのち、足を持ち上げて前側の框Ａ１１を乗り越えさせながら洗い場Ａ２側に体の向きを変え、洗い場Ａ２に足をおろして立ち上がる。
浴槽から出入りする際、４つの位置決め手段１３が浴槽の前後の側壁の内面に当接しているため、天板１のずれが防止される。また、平面視における浴槽内に天板１を設置しているため、利用者が腰を移動させる距離が短い。
【００２６】
（参考例）
図７は、本発明の参考例に係る浴室用天板付台２００を示している。天板付台２００は、天板２０１と、支持部２とを備え、第１実施形態と同様に浴室ＡのサイドスペースＡ５に設置して用いられる。
参考例の天板付台２００は、特に、天板２０１をバスボードとして使用するのには十分な強度を有さず、バスボードとして用いると破損する虞のある天板２０１を備える形態を想定している。また、参考例においても、浴槽Ａ１の前後の框は、平行なものに限らず、框の内縁又は外縁が曲線であるものを含む。
尚、参考例において、第１実施形態と共通する部材には同一符号を付して説明を省略する。
【００２７】
天板２０１は、浴槽Ａ１の前後の框Ａ１１，Ａ１２の外縁間の距離Ｄ１と略同じ長さに設けられ、長手方向両端部に裏面から下方へ突出する先端のとがった一対の浴槽載置防止用突起２０６を備えている。一対の浴槽載置防止用突起２０６，２０６は、天板２０１の幅方向の異なる位置に設けられている。
一対の浴槽載置防止用突起２０６は、外縁間の距離ｄ１（図１１参照）が浴槽の前後の框Ａ１１，Ａ１２の内縁間の最長距離Ｄ２より大きくなるよう設けられ、かつ内縁間の距離ｄ２（図１１参照）が浴槽の前後の框Ａ１１，Ａ１２の外縁間の最短距離Ｄ１より小さくなるよう設けられており、これにより、浴槽Ａ１の前後の框Ａ１１，Ａ１２に架け渡すようにして浴槽Ａ１に載置しようとすると、浴槽載置防止用突起２０５が浴槽Ａ１の前後の框Ａ１１，Ａ１２に必ず乗り上げた状態となるよう構成されている。
そして、天板両端の浴槽載置防止用突起２０６，２０６が天板２０１の幅方向の異なる位置に設けられていることから、図１０に示すように、天板２０１は浴槽載置防止用突起２０６を支点に天秤状態となって安定せず、利用者は天板２０１をバスボードとして利用できないことを認識できる。
尚、天板２０１は、位置決め手段５の代わりに浴槽載置防止用突起２０６を備える以外は、第１実施形態と同様の構成を有している。
【００２８】
本発明の浴室用天板付台は、上記の実施形態に限られるものではなく、例えば、第１実施形態において、位置決め手段は両端の一対を連結して一個の突起としてもよいし、両端で同じ数の位置決め手段を設ける必要もないため、３つ以下でも５つ以上でもよい。
【００２９】
また、天板を支持部に係止する方法は、上記の係止部１２や、嵌合用突起１３に限らず、公知の手段を適宜に用いることができる。支持部は、支持脚を有さない箱状であってもよい。天板は支持部に対し嵌合せず単に載置するようにしてもよい。
【符号の説明】
【００３０】
１００，２００  浴室用天板付台
１，２０１  天板
２  支持部
５  位置決め手段
２０６  浴槽載置防止用突起
Ａ  浴室
Ａ１  浴槽
Ａ１１  前側の框
Ａ１２  後側の框
Ａ１３  前側の内面
Ａ１４  後側の内面
Ａ３  側壁
Ａ５  サイドスペース
【図１】
0006579655.tif 000002
【図２】
0006579655.tif 000003
【図３】
0006579655.tif 000004
【図４】
0006579655.tif 000005
【図５】
0006579655.tif 000006
【図６】
0006579655.tif 000007
【図７】
0006579655.tif 000008
【図８】
0006579655.tif 000009
【図９】
0006579655.tif 000010
【図１０】
0006579655.tif 000011
【図１１】
0006579655.tif 000012